(57)【特許請求の範囲】
【請求項１】
移動端末に適用されるデスクトップアイコン表示方法であって、当該方法は、
第1のカラーセットを用いることによって前記移動端末の表示画面上にデスクトップアイコンを表示するステップと、
前記移動端末の移動角度を取得するステップと、
前記移動端末の移動角度が所定の角度を超えた場合、第2のカラーセットを用いることによって前記デスクトップアイコンを表示するステップと、
を有し、
z軸の方向に沿って、前記表示画面は、壁紙レイヤ、前記デスクトップアイコンが配置される画像レイヤ、及び前記壁紙レイヤと前記デスクトップアイコンが配置される画像レイヤとにオーバレイする表示レイヤを順次有し、前記表示レイヤの水平座標は、前記壁紙レイヤの水平座標及び前記デスクトップアイコンが配置される画像レイヤの水平座標とそれぞれ一対一の対応関係にあり、前記z軸は前記表示画面に垂直な座標軸であり、前記水平座標はx軸の方向における座標及びy軸の方向における座標を有し、前記x軸及び前記y軸が配置される水平平面は前記表示画面とパラレルであり、
前記第2のカラーセットを用いることによって前記デスクトップアイコンを表示するステップは、
前記取得された移動角度に従って、前記デスクトップアイコンに対応し、前記壁紙レイヤにある第1のエリアを取得するステップと、
前記デスクトップアイコンの水平座標ポイントと一対一の対応関係にある合成されたカラー値の系列を取得するため、前記第1のエリアにおける全ての座標ポイントのカラー値及び前記デスクトップアイコンの全ての座標ポイントのカラー値に対して合成計算を実行するステップであって、前記デスクトップアイコンの全ての座標ポイントのカラー値のセットは前記第1のカラーセットであり、前記デスクトップアイコンの水平座標ポイントと一対一の対応関係にある前記合成されたカラー値のセットは前記第2のカラーセットである、実行するステップと、
前記合成計算後に取得される前記合成されたカラー値に対応し、前記デスクトップアイコンの全ての水平座標ポイントに対応するカラーを前記表示レイヤの水平座標ポイント上にそれぞれ表示するステップと、
を有する方法。
【請求項２】
前記取得された移動角度に従って、前記デスクトップアイコンに対応し、前記壁紙レイヤにある第1のエリアを取得するステップは、
前記x軸に関する所定のリファレンスオブジェクトと前記デスクトップアイコンとの間の接続線の第1の移動角度と、前記y軸に関する前記所定のリファレンスオブジェクトと前記デスクトップアイコンとの間の接続線の第2の移動角度とを取得するステップと、
前記第1の移動角度、前記第2の移動角度、及び前記壁紙レイヤと前記デスクトップアイコンが配置される画像レイヤとの間の距離に従って、前記デスクトップアイコンに対応し、前記壁紙レイヤにある前記第1のエリアを取得するステップと、
を有する、請求項１記載の方法。
【請求項３】
前記デスクトップアイコンの第1の座標ポイント(x,y)について、前記第1の移動角度、前記第2の移動角度、及び前記壁紙レイヤと前記デスクトップアイコンが配置される画像レイヤとの間の距離に従って、前記デスクトップアイコンに対応し、前記壁紙レイヤにある第1のエリアを取得するステップは、
前記第1の移動角度、前記第2の移動角度、及び前記壁紙レイヤと前記デスクトップアイコンが配置される画像レイヤとの間の距離に従って、以下の式を用いることによって、前記第1のエリアにあり、前記デスクトップアイコンの第1の座標ポイントに対応する座標ポイント(x1,y1)を取得することを含み、
前記式は、
(x1,y1)=(x-D×tanα,y-D×tanβ)を有し、Dは前記壁紙レイヤと前記デスクトップアイコンが配置される画像レイヤとの間の距離であり、”tan”はタンジェント関数であり、αは前記第1の移動角度であり、βは前記第2の移動角度である、請求項２記載の方法。
【請求項４】
前記第1のエリアにおける全ての座標ポイントのカラー値及び前記デスクトップアイコンの全ての座標ポイントのカラー値に対して合成計算を実行するステップは、
前記第1のエリアにおける各座標ポイントのカラー値及び前記デスクトップアイコンの各座標ポイントのカラー値に対して加算及び/又は減算計算を実行するステップ、又は、
まず前記第1のエリアにおける全ての座標ポイントのカラー値から1つ以上のカラー値をフィルタリングし、前記フィルタリング後に取得され、前記第1のエリアにおける各座標ポイントのものであるカラー値及び前記デスクトップアイコンの各座標ポイントのカラー値に対して加算及び/又は減算計算を実行するステップを有する、請求項１乃至３何れか一項記載の方法。
【請求項５】
移動端末であって、当該移動端末は、
第1のカラーセットを用いることによって当該移動端末の表示画面上にデスクトップアイコンを表示するよう構成される表示ユニットと、
当該移動端末の移動角度を取得するよう構成される取得ユニットと、
を有し、
前記表示ユニットは更に、当該移動端末の移動角度が所定の角度を超える場合、第2のカラーセットを用いることによって前記デスクトップアイコンを表示するよう構成され、
z軸の方向に沿って、前記表示画面は、壁紙レイヤ、前記デスクトップアイコンが配置される画像レイヤ、及び前記壁紙レイヤと前記デスクトップアイコンが配置される画像レイヤとにオーバレイする表示レイヤを順次有し、前記表示レイヤの水平座標は、前記壁紙レイヤの水平座標及び前記デスクトップアイコンが配置される画像レイヤの水平座標とそれぞれ一対一の対応関係にあり、前記z軸は前記表示画面に垂直な座標軸であり、前記水平座標はx軸の方向における座標及びy軸の方向における座標を有し、前記x軸及び前記y軸が配置される水平平面は前記表示画面とパラレルであり、
前記取得ユニットは更に、前記取得された移動角度に従って、前記デスクトップアイコンに対応し、前記壁紙レイヤにある第1のエリアを取得するよう構成され、
当該移動端末は更に、
前記デスクトップアイコンの水平座標ポイントと一対一の対応関係にある合成されたカラー値の系列を構成するため、前記取得ユニットによって取得された前記第1のエリアにおける全ての座標ポイントのカラー値及び前記デスクトップアイコンの全ての座標ポイントのカラー値に対して合成計算を実行するよう構成される計算ユニットであって、前記デスクトップアイコンの全ての座標ポイントのカラー値のセットは前記第1のカラーセットであり、前記デスクトップアイコンの水平座標ポイントと一対一の対応関係にある前記合成されたカラー値のセットは前記第2のカラーセットである、計算ユニットを有し、
前記表示ユニットは、前記計算ユニットによって実行される合成計算後に取得される前記合成されたカラー値に対応し、前記デスクトップアイコンの水平座標ポイントに対応するカラーを前記表示レイヤの水平座標上にそれぞれ表示するよう構成される移動端末。
【請求項６】
前記取得ユニットは、
前記x軸に関する所定のリファレンスオブジェクトと前記デスクトップアイコンとの間の接続線の第1の移動角度と、前記y軸に関する前記所定のリファレンスオブジェクトと前記デスクトップアイコンとの間の接続線の第2の移動角度とを取得し、
前記第1の移動角度、前記第2の移動角度、及び前記壁紙レイヤと前記デスクトップアイコンが配置される画像レイヤとの間の距離に従って、前記デスクトップアイコンに対応し、前記壁紙レイヤにある前記第1のエリアを取得するよう構成される、請求項５記載の移動端末。
【請求項７】
前記デスクトップアイコンの第1の座標ポイント(x,y)について、前記取得ユニットは、
(x1,y1)=(x-D×tanα,y-D×tanβ)の式に従って、前記第1のエリアにあり、前記第1の座標ポイントに対応する座標ポイント(x1,y1)を取得するよう構成され、Dは前記壁紙レイヤと前記デスクトップアイコンが配置される画像レイヤとの間の距離であり、”tan”はタンジェント関数であり、αは前記第1の移動角度であり、βは前記第2の移動角度である、請求項６記載の移動端末。
【請求項８】
前記計算ユニットは、
前記第1のエリアにおける各座標ポイントのカラー値及び前記デスクトップアイコンの各座標ポイントのカラー値に対して加算及び/又は減算計算を実行するか、又は、
まず前記第1のエリアにおける全ての座標ポイントのカラー値から1つ以上のカラー値をフィルタリングし、前記フィルタリング後に取得され、前記第1のエリアにおける各座標ポイントのものであるカラー値及び前記デスクトップアイコンの各座標ポイントのカラー値に対して加算及び/又は減算計算を実行するよう構成される、請求項５乃至７何れか一項記載の移動端末。
【請求項９】
移動端末であって、当該移動端末は、表示画面、1つ以上のユーザ入力デバイス、メモリ及び前記メモリに記憶される1つ以上のプログラムを実行するよう構成される1つ以上のプロセッサを有し、
前記プロセッサは、
第1のカラーセットを用いることによって当該移動端末の表示画面上にデスクトップアイコンを表示し、
当該移動端末の移動角度を取得し、
当該移動端末の移動角度が所定の角度を超えた場合、第2のカラーセットを用いることによって前記デスクトップアイコンを表示する、
よう構成され、
z軸の方向に沿って、前記表示画面は、壁紙レイヤ、前記デスクトップアイコンが配置される画像レイヤ、及び前記壁紙レイヤと前記デスクトップアイコンが配置される画像レイヤとにオーバレイする表示レイヤを順次有し、前記表示レイヤの水平座標は、前記壁紙レイヤの水平座標及び前記デスクトップアイコンが配置される画像レイヤの水平座標とそれぞれ一対一の対応関係にあり、前記z軸は前記表示画面に垂直な座標軸であり、前記水平座標はx軸の方向における座標及びy軸の方向における座標を有し、前記x軸及び前記y軸が配置される水平平面は前記表示画面とパラレルであり、
前記プロセッサは、
前記取得された移動角度に従って、前記デスクトップアイコンに対応し、前記壁紙レイヤにある第1のエリアを取得し、
前記デスクトップアイコンの水平座標ポイントと一対一の対応関係にある合成されたカラー値の系列を構成するため、前記取得された第1のエリアにおける全ての座標ポイントのカラー値及び前記デスクトップアイコンの全ての座標ポイントのカラー値に対して合成計算を実行し、前記デスクトップアイコンの全ての座標ポイントのカラー値のセットは前記第1のカラーセットであり、前記デスクトップアイコンの水平座標ポイントと一対一の対応関係にある前記合成されたカラー値のセットは前記第2のカラーセットであり、
前記合成計算後に取得され、前記デスクトップアイコンの全ての水平座標ポイントに対応するカラーを前記表示レイヤの水平座標上にそれぞれ表示する、
よう構成される移動端末。
【請求項１０】
前記プロセッサは、
前記x軸に関する所定のリファレンスオブジェクトと前記デスクトップアイコンとの間の接続線の第1の移動角度と、前記y軸に関する前記所定のリファレンスオブジェクトと前記デスクトップアイコンとの間の接続線の第2の移動角度とを取得し、
前記第1の移動角度、前記第2の移動角度、及び前記壁紙レイヤと前記デスクトップアイコンが配置される画像レイヤとの間の距離に従って、前記デスクトップアイコンに対応し、前記壁紙レイヤにある前記第1のエリアを取得する、
よう構成される、請求項９記載の移動端末。
【請求項１１】
前記デスクトップアイコンの第1の座標ポイント(x,y)について、前記プロセッサは、
(x1,y1)=(x-D×tanα,y-D×tanβ)の式に従って、前記第1のエリアにあり、前記第1の座標ポイントに対応する座標ポイント(x1,y1)を取得するよう構成され、
Dは前記壁紙レイヤと前記デスクトップアイコンが配置される画像レイヤとの間の距離であり、”tan”はタンジェント関数であり、αは前記第1の移動角度であり、βは前記第2の移動角度である、請求項１０記載の移動端末。
【請求項１２】
前記プロセッサは、
前記第1のエリアにおける各座標ポイントのカラー値及び前記デスクトップアイコンの各座標ポイントのカラー値に対して加算及び/又は減算計算を実行するか、又は、
まず前記第1のエリアにおける全ての座標ポイントのカラー値から1つ以上のカラー値をフィルタリングし、前記フィルタリング後に取得され、前記第1のエリアにおける各座標ポイントのものであるカラー値及び前記デスクトップアイコンの各座標ポイントのカラー値に対して加算及び/又は減算計算を実行するよう構成される、請求項９乃至１１何れか一項記載の移動端末。
【発明の詳細な説明】
【技術分野】
【０００１】
本発明は、移動通信の分野に関し、特にデスクトップアイコン表示方法及び移動端末に関する。
【背景技術】
【０００２】
科学技術の発達によって、様々な電子製品が現代の生活に広く適用されている。具体例として携帯コンピュータ又は携帯電話によって、移動端末は人々の日常生活において不可欠な作業及び生活ツールとなっている。移動端末の基本的な使用機能が完璧に近くなるに従って、人々は移動端末のパーソナル化された機能に対してますます高い要求を課す。パーソナリティを具現化する機能は、ユーザによる移動端末の選択における考慮事項及び移動端末の製造業者がビジネスにおいて成功することができるか決定する重要な要因になる。移動端末の最初の入口として、移動端末のユーザデスクトップは、パーソナル化されたプレゼンテーションの最初のウィンドウである。
【０００３】
移動端末の表示画面は、一般に、壁紙、アイコン、プラグインなどの要素を有する。現在、移動端末の表示画面のパーソナル化されたプレゼンテーションは、異なる視覚効果をユーザにもたらすため、動的な壁紙の使用及び/又は異なるスタイルのユーザデスクトップ間の変更のみに限定される。しかしながら、このプレゼンテーション方法では、ユーザインタフェース上のデスクトップアイコンが移動端末上に表示されると、デスクトップアイコンの移動軌跡、カラー、形状などが固定される。これは、ユーザに静的で硬直した視覚効果をもたらす。明らかに、これは多様化及びパーソナル化に対するユーザの開発要求に適しておらず、緊急に改善される必要がある。
【発明の概要】
【０００４】
本発明の実施例は、デスクトップアイコンの表示されるカラーが固定されるという既存の問題を解決するため、デスクトップアイコン表示方法及び移動端末を提供する。
【０００５】
上記課題を解決するため、以下の技術的解決策が本発明の実施例において利用される。
【０００６】
第1の態様によると、本発明の実施例は、移動端末に適用されるデスクトップアイコン表示方法を提供する。当該方法は、
第1のカラーセットを用いることによって前記移動端末の表示画面上にデスクトップアイコンを表示するステップと、
前記移動端末の移動角度を取得するステップと、
前記移動端末の移動角度が所定の角度を超えた場合、第2のカラーセットを用いることによって前記デスクトップアイコンを表示するステップと、
を含む。
【０００７】
第1の態様を参照して、第1の態様の第1の可能な実現方式では、z軸の方向に沿って、前記表示画面は、壁紙レイヤ、前記デスクトップアイコンが配置される画像レイヤ、及び前記壁紙レイヤと前記デスクトップアイコンが配置される画像レイヤとにオーバレイする表示レイヤを順次有し、前記表示レイヤの水平座標は、前記壁紙レイヤの水平座標及び前記デスクトップアイコンが配置される画像レイヤの水平座標とそれぞれ一対一の対応関係にあり、前記z軸は前記表示画面に垂直な座標軸であり、前記水平座標はx軸の方向における座標及びy軸の方向における座標を有し、前記x軸及び前記y軸が配置される水平平面は前記表示画面とパラレルであり、
前記第2のカラーセットを用いることによって前記デスクトップアイコンを表示するステップは、
前記取得された移動角度に従って、前記デスクトップアイコンに対応し、前記壁紙レイヤにある第1のエリアを取得するステップと、
前記デスクトップアイコンの水平座標ポイントと一対一の対応関係にある合成されたカラー値の系列を構成するため、前記第1のエリアにおける全ての座標ポイントのカラー値及び前記デスクトップアイコンの全ての座標ポイントのカラー値に対して合成計算を実行するステップであって、前記デスクトップアイコンの全ての座標ポイントのカラー値のセットは前記第1のカラーセットであり、前記デスクトップアイコンの水平座標ポイントと一対一の対応関係にある前記合成されたカラー値のセットは前記第2のカラーセットである、実行するステップと、
前記合成計算後に取得され、前記デスクトップアイコンの全ての水平座標ポイントに対応するカラーを前記表示レイヤの水平座標ポイント上にそれぞれ表示するステップと、
を有する。
【０００８】
第1の態様の第1の可能な実現方式を参照して、第1の態様の第2の可能な実現方式では、前記取得された移動角度に従って、前記デスクトップアイコンに対応し、前記壁紙レイヤにある第1のエリアを取得するステップは、
前記x軸に関する所定のリファレンスオブジェクトと前記デスクトップアイコンとの間の接続線の第1の移動角度と、前記y軸に関する前記所定のリファレンスオブジェクトと前記デスクトップアイコンとの間の接続線の第2の移動角度とを取得するステップと、
前記第1の移動角度、前記第2の移動角度、及び前記壁紙レイヤと前記デスクトップアイコンが配置される画像レイヤとの間の距離に従って、前記デスクトップアイコンに対応し、前記壁紙レイヤにある前記第1のエリアを取得するステップと、
を有する。
【０００９】
4.請求項3記載の方法であって、前記デスクトップアイコンの第1の座標ポイント(x,y)について、前記第1の移動角度、前記第2の移動角度、及び前記壁紙レイヤと前記デスクトップアイコンが配置される画像レイヤとの間の距離に従って、前記デスクトップアイコンの第1の座標ポイントに対応し、前記第1のエリアにある座標ポイント(x1,y1)を取得するステップは、
(x1,y1)=(x-D×tanα,y-D×tanβ)を有し、
Dは前記壁紙レイヤと前記デスクトップアイコンが配置される画像レイヤとの間の距離であり、”tan”はタンジェント関数であり、αは前記第1の移動角度であり、βは前記第2の移動角度である。
【００１０】
第1の態様の第2の可能な実現方式を参照して、第1の態様の第3の可能な実現方式では、前記デスクトップアイコンの第1の座標ポイント(x,y)について、前記移動角度及び前記壁紙レイヤと前記デスクトップアイコンが配置される画像レイヤとの間の距離に従って、前記デスクトップアイコンの第1の座標ポイントに対応し、前記第1のエリアにある座標ポイント(x1,y1)を取得するステップは、
(x1,y1)=(x-D×tanα,y-D×tanβ)を有し、
Dは前記壁紙レイヤと前記デスクトップアイコンが配置される画像レイヤとの間の距離であり、”tan”はタンジェント関数であり、αは前記第1の移動角度であり、βは前記第2の移動角度である。
【００１１】
第1の態様の第1の可能な実現方式と第1の態様の第2の可能な実現方式との何れかの実現方式を参照して、第1の態様の第4の可能な実現方式では、前記第1のエリアにおける全ての座標ポイントのカラー値及び前記デスクトップアイコンの全ての座標ポイントのカラー値に対して合成計算を実行するステップは、
前記第1のエリアにおける各座標ポイントのカラー値及び前記デスクトップアイコンの各座標ポイントのカラー値に対して加算及び/又は減算計算を実行するステップ、又は、まず前記第1のエリアにおける全ての座標ポイントのカラー値から1つ以上のカラー値をフィルタリングし、前記フィルタリング後に取得され、前記第1のエリアにおける各座標ポイントのものであるカラー値及び前記デスクトップアイコンの各座標ポイントのカラー値に対して加算及び/又は減算計算を実行するステップを有する。
【００１２】
第2の態様によると、本発明の実施例は、移動端末を含み、当該移動端末は、
第1のカラーセットを用いることによって当該移動端末の表示画面上にデスクトップアイコンを表示するよう構成される表示ユニットと、
当該移動端末の移動角度を取得するよう構成される取得ユニットと、
を有し、
前記表示ユニットは更に、当該移動端末の移動角度が所定の角度を超える場合、第2のカラーセットを用いることによって前記デスクトップアイコンを表示するよう構成される移動端末を提供する。
【００１３】
第2の態様を参照して、第2の態様の第1の可能な実現方式では、z軸の方向に沿って、前記表示画面は、壁紙レイヤ、前記デスクトップアイコンが配置される画像レイヤ、及び前記壁紙レイヤと前記デスクトップアイコンが配置される画像レイヤとにオーバレイする表示レイヤを順次有し、前記表示レイヤの水平座標は、前記壁紙レイヤの水平座標及び前記デスクトップアイコンが配置される画像レイヤの水平座標とそれぞれ一対一の対応関係にあり、前記z軸は前記表示画面に垂直な座標軸であり、前記水平座標はx軸の方向における座標及びy軸の方向における座標を有し、前記x軸及び前記y軸が配置される水平平面は前記表示画面とパラレルであり、
前記取得ユニットは更に、前記取得された移動角度に従って、前記デスクトップアイコンに対応し、前記壁紙レイヤにある第1のエリアを取得するよう構成され、
当該移動端末は更に、
前記デスクトップアイコンの水平座標ポイントと一対一の対応関係にある合成されたカラー値の系列を構成するため、前記取得ユニットによって取得された前記第1のエリアにおける全ての座標ポイントのカラー値及び前記デスクトップアイコンの全ての座標ポイントのカラー値に対して合成計算を実行するよう構成される計算ユニットであって、前記デスクトップアイコンの全ての座標ポイントのカラー値のセットは前記第1のカラーセットであり、前記デスクトップアイコンの水平座標ポイントと一対一の対応関係にある前記合成されたカラー値のセットは前記第2のカラーセットである、計算ユニットを有し、
前記表示ユニットは、具体的には、前記合成計算後に取得され、前記デスクトップアイコンの全ての水平座標ポイントに対応し、前記計算ユニットによって実行された計算後に取得されるカラーを前記表示レイヤの水平座標上にそれぞれ表示するよう構成される。
【００１４】
第2の態様の第1の可能な実現方式を参照して、第2の態様の第2の可能な実現方式では、前記取得ユニットは、具体的には、
前記x軸に関する所定のリファレンスオブジェクトと前記デスクトップアイコンとの間の接続線の第1の移動角度と、前記y軸に関する前記所定のリファレンスオブジェクトと前記デスクトップアイコンとの間の接続線の第2の移動角度とを取得し、
前記第1の移動角度、前記第2の移動角度、及び前記壁紙レイヤと前記デスクトップアイコンが配置される画像レイヤとの間の距離に従って、前記デスクトップアイコンに対応し、前記壁紙レイヤにある前記第1のエリアを取得するよう構成される。
【００１５】
第2の態様の第2の可能な実現方式を参照して、第2の態様の第3の可能な実現方式では、前記デスクトップアイコンの第1の座標ポイント(x,y)について、前記取得ユニットは、具体的には、
(x1,y1)=(x-D×tanα,y-D×tanβ)の式に従って、前記第1のエリアにあり、前記第1の座標ポイントに対応する座標ポイント(x1,y1)を取得するよう構成され、
Dは前記壁紙レイヤと前記デスクトップアイコンが配置される画像レイヤとの間の距離であり、”tan”はタンジェント関数であり、αは前記第1の移動角度であり、βは前記第2の移動角度である。
【００１６】
第2の態様の第1の可能な実現方式と第2の態様の第2の可能な実現方式との何れかの実現方式を参照して、第2の態様の第4の可能な実現方式では、前記計算ユニットは、具体的には、
前記第1のエリアにおける各座標ポイントのカラー値及び前記デスクトップアイコンの各座標ポイントのカラー値に対して加算及び/又は減算計算を実行するか、又は、まず前記第1のエリアにおける全ての座標ポイントのカラー値から1つ以上のカラー値をフィルタリングし、前記フィルタリング後に取得され、前記第1のエリアにおける各座標ポイントのものであるカラー値及び前記デスクトップアイコンの各座標ポイントのカラー値に対して加算及び/又は減算計算を実行するよう構成される。
【００１７】
第3の態様によると、本発明の実施例は、移動端末であって、当該移動端末は、表示画面、1つ以上のユーザ入力デバイス、メモリ及び前記メモリに記憶される1つ以上のプログラムを実行するよう構成される1つ以上のプロセッサを有し、
前記プロセッサは、
第1のカラーセットを用いることによって当該移動端末の表示画面上にデスクトップアイコンを表示し、
当該移動端末の移動角度を取得し、
当該移動端末の移動角度が所定の角度を超えた場合、第2のカラーセットを用いることによって前記デスクトップアイコンを表示する、
よう構成される移動端末を提供する。
【００１８】
第3の態様を参照して、第3の態様の第1の可能な実現方式では、z軸の方向に沿って、前記表示画面は、壁紙レイヤ、前記デスクトップアイコンが配置される画像レイヤ、及び前記壁紙レイヤと前記デスクトップアイコンが配置される画像レイヤとにオーバレイする表示レイヤを順次有し、前記表示レイヤの水平座標は、前記壁紙レイヤの水平座標及び前記デスクトップアイコンが配置される画像レイヤの水平座標とそれぞれ一対一の対応関係にあり、前記z軸は前記表示画面に垂直な座標軸であり、前記水平座標はx軸の方向における座標及びy軸の方向における座標を有し、前記x軸及び前記y軸が配置される水平平面は前記表示画面とパラレルであり、前記プロセッサは、具体的には、
前記取得された移動角度に従って、前記デスクトップアイコンに対応し、前記壁紙レイヤにある第1のエリアを取得し、
前記デスクトップアイコンの水平座標ポイントと一対一の対応関係にある合成されたカラー値の系列を構成するため、前記取得された第1のエリアにおける全ての座標ポイントのカラー値及び前記デスクトップアイコンの全ての座標ポイントのカラー値に対して合成計算を実行し、前記デスクトップアイコンの全ての座標ポイントのカラー値のセットは前記第1のカラーセットであり、前記デスクトップアイコンの水平座標ポイントと一対一の対応関係にある前記合成されたカラー値のセットは前記第2のカラーセットであり、
前記合成計算後に取得され、前記デスクトップアイコンの全ての水平座標ポイントに対応するカラーを前記表示レイヤの水平座標上にそれぞれ表示する、
よう構成される。
【００１９】
第3の態様の第1の可能な実現方式を参照して、第3の態様の第2の可能な実現方式では、前記プロセッサは、具体的には、
前記x軸に関する所定のリファレンスオブジェクトと前記デスクトップアイコンとの間の接続線の第1の移動角度と、前記y軸に関する前記所定のリファレンスオブジェクトと前記デスクトップアイコンとの間の接続線の第2の移動角度とを取得し、
前記第1の移動角度、前記第2の移動角度、及び前記壁紙レイヤと前記デスクトップアイコンが配置される画像レイヤとの間の距離に従って、前記デスクトップアイコンに対応し、前記壁紙レイヤにある前記第1のエリアを取得する、
よう構成される。
【００２０】
第3の態様の第2の可能な実現方式を参照して、第3の態様の第3の可能な実現方式では、前記デスクトップアイコンの第1の座標ポイント(x,y)について、前記プロセッサは、具体的には、
(x1,y1)=(x-D×tanα,y-D×tanβ)の式に従って、前記第1のエリアにあり、前記第1の座標ポイントに対応する座標ポイント(x1,y1)を取得するよう構成され、
Dは前記壁紙レイヤと前記デスクトップアイコンが配置される画像レイヤとの間の距離であり、”tan”はタンジェント関数であり、αは前記第1の移動角度であり、βは前記第2の移動角度である。
【００２１】
第3の態様の第1の可能な実現方式と第3の態様の第2の可能な実現方式との何れか1つの実現方式を参照して、第3の態様の第4の可能な実現方式では、
前記プロセッサは、具体的には、
前記第1のエリアにおける各座標ポイントのカラー値及び前記デスクトップアイコンの各座標ポイントのカラー値に対して加算及び/又は減算計算を実行するか、又は、まず前記第1のエリアにおける全ての座標ポイントのカラー値から1つ以上のカラー値をフィルタリングし、前記フィルタリング後に取得され、前記第1のエリアにおける各座標ポイントのものであるカラー値及び前記デスクトップアイコンの各座標ポイントのカラー値に対して加算及び/又は減算計算を実行するよう構成される。
【００２２】
このことから、本発明の実施例がデスクトップアイコン表示方法を提供することが分かりうる。移動端末の移動角度が所定の角度を超えると、第1のカラーセットを有するデスクトップアイコンが、第2のカラーセットを用いることによって表示される。このようにして、移動端末が異なる角度で連続的に移動するとき、デスクトップアイコンの表示されるカラーが連続的に変化し、これにより、カラフルなラティスウィンドウ効果がデスクトップアイコン上で動的に提示されうる。これは、移動端末が移動するとき、デスクトップアイコンの表示効果を高める。
【図面の簡単な説明】
【００２３】
本発明の実施例又は従来技術における技術的解決策をより明確に説明するため、以下は、実施例又は従来技術を説明するのに必要とされる添付図面を簡単に説明する。明らかに、以下の説明における添付図面は本発明の単なるいくつかの実施例を示し、当業者は、創作的な努力なく、これらの添付図面から他の図面を依然として導出してもよい。
【図１】図1は、本発明の実施例によるデスクトップアイコン表示方法のフローチャートである。
【図２】図2は、本発明の実施例による表示画面の概略図である。
【図３】図3は、本発明の実施例による他のデスクトップアイコン表示方法のフローチャートである。
【図４】図4は、本発明によるデスクトップアイコンに対応し、壁紙レイヤにあるエリアを計算する概略図である。
【図５】図5は、本発明の実施例による移動端末の構成図である。
【図５Ａ】図5Aは、本発明の実施例による移動端末の構成図である。
【図６】図6は、本発明の実施例による他の移動端末の構成図である。
【発明を実施するための形態】
【００２４】
以下は、本発明の実施例における添付図面を参照して、本発明の実施例における技術的解決策を明確且つ完全に説明する。明らかに、説明される実施例は、本発明の実施例の単なる一部であり、全てでない。創作的な努力なく本発明の実施例に基づき当業者によって取得された他の全ての実施例は、本発明の保護範囲内に属する。
【００２５】
本発明の実施例は、移動端末に適用可能であるデスクトップアイコン表示方法を提供する。移動端末は、携帯電話、タブレットコンピュータ、ノートブックコンピュータ、ウルトラモバイルパーソナルコンピュータ（ultra-mobile  personal  computer、略語：UMPC）、ネットブック又はパーソナルデジタルアシスタント（personal  digital  assistant、略語：PDA）などの端末デバイスであってもよい。デスクトップアイコンは、ボタン、テキスト、プログレスバー、チェックボックス及びオプションボタンなどのアプリケーションプログラムアイコン及び共通コントロールを含んでもよく、第1のカラーセットを有する。
【００２６】
実施例１
図1は、本発明の本実施例によるデスクトップアイコン表示方法のフローチャートを示す。図1に示されるように、当該方法は以下のステップを含んでもよい。
【００２７】
101.第1のカラーセットを用いることによって移動端末の表示画面上にデスクトップアイコンを表示する。
【００２８】
第1のカラーセットは、デスクトップアイコンの全ての座標ポイントのカラー値を含む。
【００２９】
102．移動端末の移動角度を取得する。
【００３０】
好ましくは、本発明の本実施例では、移動端末がスタートされるか、あるいは、特定のトリガ条件下にあった後、移動端末は、移動端末に設置される加速度センサ（例えば、重力センサ又はジャイロスコープ）を用いることによって、移動端末の移動によって移動角度を検出してもよい。当該移動は、上下振動及び/又は左右振動などのアクションイベントであってもよい。
【００３１】
103．移動端末の移動角度が所定の角度を超えた場合、第2のカラーセットを用いることによってデスクトップアイコンを表示する。
【００３２】
所定の角度は要求に従って設定されてもよく、本発明の本実施例はそれに対する限定を設定しない。第2のカラーセットは、第1のカラー値と異なり、デスクトップアイコンの全ての座標ポイントと一対一の対応関係にあるカラー値を含む。第2のカラーセットにおけるカラーは同一であってもよいし、あるいは異なってもよく、本発明の本実施例はそれに対する限定を設定しないことが留意されるべきである。本発明の本実施例では、移動端末が移動すると、デスクトップアイコンが、第1のカラーセットと異なる第2のカラーセットを用いることによってのみ表示される。
【００３３】
具体的には、本発明の本実施例では、表示画面は、3次元空間におけるx軸及びy軸を含む。z軸は表示画面と垂直である。所定の角度は、x軸の所定の角度、y軸の所定の角度及びz軸の所定の角度を含む。
【００３４】
対応して、移動端末の移動角度が所定の角度を超えると判定することは、
x軸の方向、y軸の方向及びz軸の方向の3方向の動きをリアルタイムに検出し、x軸の方向、y軸の方向及びz軸の方向の1つ以上の方向における移動端末の相対的な移動角度が対応する方向において所定の角度を超える場合、移動端末の移動角度が所定の角度を超えたと判定することを含んでもよい。
【００３５】
例えば、x軸の所定の角度は10度であり、y軸の所定の角度は5度であり、z軸の所定の角度は15度である。x軸の方向における移動端末の相対的な移動角度が5度であり、y軸の方向における相対的な移動角度が6度であり、z軸の方向における相対的な移動角度が10度であることが検出される場合、移動端末の移動角度は所定の角度を超えたと判定される。
【００３６】
このことから、本発明の本実施例がデスクトップアイコン表示方法を提供することが分かりうる。移動端末の移動角度が所定の角度を超えると、第1のカラーセットを有するデスクトップアイコンが、第2のカラーセットを用いることによって表示される。このようにして、移動端末が異なる角度で連続的に移動するとき、デスクトップアイコンの表示されるカラーは連続的に変化し、これにより、カラフルなラティスウィンドウ効果がデスクトップアイコン上で動的に提示されうる。これは、移動端末が移動するとき、デスクトップアイコンの表示効果を高める。
【００３７】
実施例2
一般に、移動端末の表示画面は、壁紙が配置される画像レイヤと、デスクトップアイコンが配置される画像レイヤとを含みうる。しかしながら、本発明の本実施例では、移動端末の位置によってデスクトップアイコンのカラーが変化するという視覚効果を実現するため、上記の2つの画像レイヤにオーバレイする表示レイヤが追加される。図2に示されるように、移動端末の表示画面によって含まれる画像レイヤは、上から下へ順にA、B及びC（移動端末によってユーザに提示される側から観察される）である。Aは表示レイヤであり、Bはデスクトップアイコンが配置される画像レイヤであり、Cは壁紙レイヤである。移動端末の表示画面が配置される平面は、x軸の方向及びy軸の方向を含む平面である。3つの画像レイヤの重なっている方向（移動端末に垂直な方向）は、z軸の方向である。3つの画像レイヤの座標は、x軸の方向及びy軸の方向における完全なマッピング関係にあり、すなわち、水平座標ポイントは一対一の対応関係にある。本発明の本実施例では、移動端末の移動処理において、z軸は移動端末の表示画面に対して常に垂直であり、表示画面は常にx軸及びy軸を含む平面である。壁紙レイヤは、デスクトップアイコンが配置される画像レイヤの座標ポイントと一対一の対応関係にある異なる座標ポイントを含む仮想レイヤである。各座標ポイントは、カラー値の1つのエリアに対応する。壁紙レイヤは、移動端末の内側に存在してもよいし、あるいは、移動端末の外側に存在してもよく、本発明の本実施例はこれに対して限定を設定しない。本発明の本実施例は、壁紙が携帯端末の表示画面の内側に存在する具体例のみを用いて説明される。
【００３８】
携帯端末が移動するに従って、表示レイヤは、デスクトップアイコンに対応する位置（すなわち、z軸の方向においてデスクトップアイコンに重なる位置）に異なるカラーを提示してもよい。デスクトップアイコンが配置される画像レイヤは、デスクトップアイコンを提示するため使用される。壁紙レイヤは、壁紙を提示するため使用されてもよく、異なるカラーを提示することができる画像レイヤ、あるいは、透明性を有する画像レイヤであり、例えば、壁紙レイヤの異なるエリアは異なる透明性を有する。さらに、デスクトップアイコンが配置される画像レイヤと壁紙レイヤとの間の距離d1は0以上であってもよく、デスクトップアイコンが配置される画像レイヤと表示レイヤとの間の距離d2は0以上であってもよい。d1及びd2の具体的な値は、本発明の本実施例では限定されない。好ましくは、表示レイヤは、動的に有効又は無効にされてもよい。ユーザは、本発明の本実施例において説明されるデスクトップアイコン表示方法を適用することを選択する際に表示レイヤを有効にしてもよいし、あるいは、本発明の本実施例において説明されるデスクトップアイコン表示方法を適用しないことを選択する際に表示レイヤを無効にしてもよい。
【００３９】
本発明の本実施例では、ユーザが移動端末を揺らすと、カラフルなラティスウィンドウ視覚効果が、デスクトップアイコンの表示効果を高めるため、デスクトップアイコン上に出現してもよい。
【００４０】
図3は、本発明の実施例による他のデスクトップアイコン表示方法のフローチャートを示す。図3に示されるように、当該方法は以下のステップを含んでもよい。
【００４１】
301.第1のカラーセットを用いることによって移動端末の表示画面上にデスクトップアイコンを表示する。
【００４２】
第1のカラーセットは、デスクトップアイコンの全ての座標ポイントのカラー値を含む。
【００４３】
302.移動端末の移動角度を取得する。
【００４４】
ステップ302の特定の実現方式は、実施例1のステップ102の実現方式と同じであってもよく、詳細はここでは説明されない。
【００４５】
303.移動端末の移動角度が所定の角度を超えた場合、取得された移動角度に従って、デスクトップアイコンに対応し、壁紙レイヤにある第1のエリアを取得する。
【００４６】
例えば、取得された移動角度に従って、デスクトップアイコンに対応し、壁紙レイヤにある第1のエリアを取得することは、
x軸に関する所定のリファレンスオブジェクトとデスクトップアイコンとの間の接続線の第1の移動角度と、y軸に関する所定のリファレンスオブジェクトとデスクトップアイコンとの間の接続線の第2の移動角度とを取得し、
第1の移動角度、第2の移動角度、及び壁紙レイヤとデスクトップアイコンが配置される画像レイヤとの間の距離に従って、デスクトップアイコンに対応し、壁紙レイヤにある第1のエリアを取得することを含んでもよい。
【００４７】
所定のリファレンスオブジェクトは、固定された3次元座標ポイントを有し、移動端末の内側又は外側に配置されるリファレンスオブジェクトであってもよいし、あるいは、移動端末が移動するに従って座標ポイントが変化するリファレンスオブジェクトであってもよい。特定のタイプのリファレンスオブジェクトは、本発明の本実施例において限定されない。現在の3次元座標ポイントが取得可能なオブジェクトのみが、本発明におけるリファレンスオブジェクトとして用いられる。第1の移動角度は、現時点における夾角と前の時点における夾角との間の差分であり、双方の夾角は、x軸とリファレンスオブジェクトとデスクトップアイコンとの間の接続線との間にある。第2の移動角度は、現時点における夾角と前の時点における夾角との間の差分であり、双方の夾角は、y軸とリファレンスオブジェクトとデスクトップアイコンとの間の接続線との間にある。
【００４８】
好ましくは、デスクトップアイコンの第1の座標ポイント(x,y)について、第1の座標ポイントに対応し、第1のエリアにある座標ポイント(x1,y1)を取得することは、
(x1,y1)=(x-D×tanα,y-D×tanβ)を含んでもよく、
ここで、Dは壁紙レイヤとデスクトップアイコンが配置される画像レイヤとの間の距離であり、”tan”はタンジェント関数であり、αは第1の移動角度であり、βは第2の移動角度である。
【００４９】
壁紙レイヤとデスクトップアイコンが配置される画像レイヤとの間の距離Dは、仮想的な距離であり、壁紙レイヤにあり、デスクトップアイコンに対応するエリアを計算するのに利用されることが留意されるべきである。本発明の本実施例において説明されるデスクトップアイコン表示方法を適用することを選択するとき、ユーザは、壁紙レイヤを有効にし、壁紙レイヤとデスクトップアイコンが配置される画像レイヤとの間の距離Dを設定してもよい。本発明の本実施例において説明されるデスクトップアイコン表示方法を適用しないことを選択するとき、ユーザは、壁紙レイヤを無効にしてもよい。この場合、壁紙レイヤとデスクトップアイコンが配置される画像レイヤとの間の距離は存在しない。
【００５０】
例えば、図4は、x軸の方向に垂直な断面の図である。図4に示されるように、移動端末は、y軸の方向に沿ってのみ揺らされる。y軸とリファレンスオブジェクトとデスクトップアイコンとの間の接続線との間の夾角は、元の90度からβ角度だけ上方に傾斜しており、移動角度はy軸の所定の角度を超える。x軸とリファレンスオブジェクトとデスクトップアイコンとの間の接続線との間の夾角は不変のままであり、αは0度に等しい。従って、取得されたポイントa1は、ポイントaに対応して、（x,y-D×tanβ）である。
【００５１】
304.デスクトップアイコンの水平座標ポイントと一対一の対応関係にある合成されたカラー値の系列を取得するため、第1のエリアにおける全ての座標ポイントのカラー値及びデスクトップアイコンの全ての座標ポイントのカラー値に対して合成計算を実行する。
【００５２】
デスクトップアイコンの全ての座標ポイントのカラー値のセットは第1のカラーセットである。デスクトップアイコンの水平座標ポイントと一対一の対応関係にある合成されたカラー値のセットは、第2のカラーセットである。第1のエリアにおける全ての座標ポイントのカラー値は、移動端末に予め記憶されてもよいし、あるいは、壁紙レイヤが壁紙を表示するとき、当該エリアにおける壁紙の表示される値は、第1のエリアにおける全ての座標ポイントのカラー値として供しうる。
【００５３】
例えば、第1のエリアにおける全ての座標ポイントのカラー値及びデスクトップアイコンの全ての座標ポイントのカラー値に対して合成計算を実行することは、
第1のエリアにおける各座標ポイントのカラー値及びデスクトップアイコンの各座標ポイントのカラー値に対して加算及び/又は減算計算を実行するか、又は、まず第1のエリアにおける全ての座標ポイントのカラー値から1つ以上のカラー値をフィルタリングし、フィルタリング後に取得され、第1のエリアにおける各座標ポイントのものであるカラー値及びデスクトップアイコンの各座標ポイントのカラー値に対して加算及び/又は減算計算を実行することを含んでもよい。
【００５４】
第1のエリアにおける全ての座標ポイントのカラー値及びデスクトップアイコンの全ての座標ポイントのカラー値に対して合成計算を実行する方法は、限定されることなく、上記の2つの方法を含み、他の合成計算方法を更に含んでもよく、本発明の本実施例はそれに対する限定を設定しないことが留意されるべきである。
【００５５】
例えば、カラーは、赤、青及び緑を用いることによって表現される。第1のエリアにおける特定の座標ポイントのカラー値が0x223344（赤0x22、青0x33及び緑0x44）であり、特定の座標ポイントに対応し、デスクトップアイコン上にある座標ポイントのカラー値が0x556644（赤0x55、青0x11及び緑0x66）である場合、第1のエリアにおける座標ポイントのカラー値及びデスクトップアイコン上の座標ポイントのカラー値に対する合成計算後に取得される結果は、0x223344+0x556644=0x779988又は0x556644-0x223344=0x333300であってもよいし、あるいは、赤色の値がまず第1のエリアにおける座標ポイントのカラー値からフィルタリングされ、第1のエリアにおける座標ポイントのカラー値が0x003344に変更され、フィルタリング後に取得されるカラー値とデスクトップアイコンの座標ポイントのカラー値とが加算され、結果は0x003344+0x556644=0x559988であるか、あるいは、フィルタリング後に取得されるカラー値が、デスクトップアイコンの座標ポイントのカラー値から減算され、結果は0x556644-0x003344=0x553300となる。
【００５６】
このようにして、ステップ304によって、合成計算後に取得され、デスクトップアイコンの水平座標ポイントと一対一の対応関係にあるカラー値が取得されうる。例えば、デスクトップアイコンが10個の座標ポイントを含む場合、合成計算後に取得され、10個の座標ポイントと一対一の対応関係にある10個のカラー値が取得される。
【００５７】
305.合成計算後に取得され、デスクトップアイコンの全ての水平座標ポイントに対応するカラーを表示レイヤの水平座標上にそれぞれ表示する。
【００５８】
例えば、デスクトップアイコンの第1の座標ポイント(x,y)について、合成計算後に取得され、第1の座標ポイントに対応するカラー値が（0x223355）である場合、カラー値（0x223355）に対応するカラーが、表示レイヤの水平座標ポイント(x,y)上に表示される。
【００５９】
このことから、本発明の本実施例はデスクトップアイコン表示方法を提供することが分かりうる。移動端末の移動角度が所定の角度を超えると、デスクトップアイコンに対応し、壁紙レイヤにあるエリアが取得される。当該エリアにおけるカラー値とデスクトップアイコンの第1のカラーセットとに対して合成計算が実行された後、デスクトップアイコンが第2のカラーセットを用いることによって表示される。このようにして、移動端末が異なる角度で連続的に移動するとき、デスクトップアイコンの表示されるカラーは連続的に変化し、これにより、カラフルなラティスウィンドウ効果がデスクトップアイコン上に動的に提示されうる。これは、移動端末が移動するとき、デスクトップアイコンの表示効果を高める。
【００６０】
実施例3
図5は、本発明の本実施例による移動端末50の表示画面の構成図を示す。図5に示されるように、移動端末50は、表示ユニット501及び取得ユニット502を含んでもよい。取得ユニット502は、重力センサ又はジャイロスコープなどの移動端末に設置される加速度センサであってもよい。
【００６１】
表示ユニット501は、第1のカラーセットを用いることによって移動端末の表示画面上にデスクトップアイコンを表示するよう構成される。
【００６２】
第1のカラーセットは、デスクトップアイコンの全ての座標ポイントのカラー値を含む。
【００６３】
取得ユニット502は、移動端末の移動角度を取得するよう構成される。
【００６４】
表示ユニット501は更に、移動端末の移動角度が所定の角度を超える場合、第2のカラーセットを用いることによってデスクトップアイコンを表示するよう構成される。
【００６５】
第2のカラーセットは、第1のカラー値と異なり、デスクトップアイコンの全ての座標ポイントと一対一の対応関係にあるカラー値を含む。第2のカラーセットにおけるカラーは同一であってもよいし、あるいは全く異なってもよく、本発明の本実施例はそれに対する限定を設定しないことが留意されるべきである。本発明の本実施例では、移動端末が移動すると、デスクトップアイコンが、第1のカラーセットと異なる第2のカラーセットを用いることによってのみ表示される。
【００６６】
所定の角度は要求に従って設定されてもよく、本発明の本実施例はそれに対する限定を設定しない。
【００６７】
さらに、本発明の本実施例では、表示画面は、3次元空間におけるx軸及びy軸を含む。z軸は表示画面と垂直である。所定の角度は、x軸の所定の角度、y軸の所定の角度及びz軸の所定の角度を含む。
【００６８】
取得ユニット502は、具体的には、
x軸の方向、y軸の方向及びz軸の方向の3方向の動きをリアルタイムに検出し、x軸の方向、y軸の方向及びz軸の方向の1つ以上の方向における移動端末の相対的な移動角度が対応する方向において所定の角度を超える場合、移動端末の移動角度が所定の角度を超えたと判定するよう構成されてもよい。
【００６９】
例えば、x軸の所定の角度は10度であり、y軸の所定の角度は5度であり、z軸の所定の角度は15度である。x軸の方向における移動端末の相対的な移動角度が5度であり、y軸の方向における相対的な移動角度が6度であり、z軸の方向における相対的な移動角度が10度であることが検出される場合、移動端末の移動角度は所定の角度を超えたと判定される。
【００７０】
さらに、z軸の方向に沿って、移動端末の表示画面は、壁紙レイヤ、デスクトップアイコンが配置される画像レイヤ、及び壁紙レイヤとデスクトップアイコンが配置される画像レイヤとにオーバレイする表示レイヤを順次含んでもよい。表示レイヤの水平座標は、壁紙レイヤの水平座標及びデスクトップアイコンが配置される画像レイヤの水平座標とそれぞれ一対一の対応関係にある。z軸は移動端末の表示画面に垂直な座標軸である。水平座標はx軸の方向における座標及びy軸の方向における座標を有する。x軸及びy軸が配置される水平平面は表示画面とパラレルである。
【００７１】
取得ユニット502は更に、取得された移動角度に従って、デスクトップアイコンに対応し、壁紙レイヤにある第1のエリアを取得するよう構成される。
【００７２】
図5Aに示されるように、移動端末50は更に、
デスクトップアイコンの水平座標ポイントと一対一の対応関係にある合成されたカラー値の系列を構成するため、第1のエリアにおける全ての座標ポイントのカラー値及びデスクトップアイコンの全ての座標ポイントのカラー値に対して合成計算を実行するよう構成される計算ユニット503を含んでもよい。
【００７３】
デスクトップアイコンの全ての座標ポイントのカラー値のセットは、第1のカラーセットである。デスクトップアイコンの水平座標ポイントと一対一の対応関係にある合成されたカラー値のセットは、第2のカラーセットである。第1のエリアにおける全ての座標ポイントのカラー値は、移動端末に予め記憶されてもよいし、あるいは、壁紙レイヤが壁紙を表示するとき、当該エリアにおける壁紙の表示された値は、第1のエリアにおける全ての座標ポイントのカラー値として供してもよい。
【００７４】
表示ユニット501は更に、合成計算後に取得され、デスクトップアイコンの全ての水平座標ポイントに対応するカラーを表示レイヤの水平座標上にそれぞれ表示するよう構成される。
【００７５】
例えば、デスクトップアイコンの第1の座標ポイント(x,y)について、合成計算後に取得され、第1の座標ポイントに対応するカラー値が（0x223355）である場合、カラー値（0x223355）に対応するカラーが、表示レイヤの水平座標ポイント(x,y)上に表示される。
【００７６】
さらに、取得ユニット502は、具体的には、
x軸に関する所定のリファレンスオブジェクトとデスクトップアイコンとの間の接続線の第1の移動角度と、y軸に関する所定のリファレンスオブジェクトとデスクトップアイコンとの間の接続線の第2の移動角度とを取得し、
第1の移動角度、第2の移動角度、及び壁紙レイヤとデスクトップアイコンが配置される画像レイヤとの間の距離に従って、デスクトップアイコンに対応し、壁紙レイヤにある第1のエリアを取得するよう構成される。
【００７７】
所定のリファレンスオブジェクトは、固定された3次元座標ポイントを有し、移動端末の内側又は外側に配置されるリファレンスオブジェクトであってもよいし、あるいは、移動端末が移動するに従って座標ポイントが変化するリファレンスオブジェクトであってもよい。特定のタイプのリファレンスオブジェクトは、本発明の本実施例において限定されない。現在の3次元座標ポイントが取得可能なオブジェクトのみが、本発明におけるリファレンスオブジェクトとして用いられる。
【００７８】
好ましくは、デスクトップアイコンの第1の座標ポイント(x,y)について、第1の座標ポイントに対応し、第1のエリアにある座標ポイント(x1,y1)を取得することは、
(x1,y1)=(x-D×tanα,y-D×tanβ)の式に従って、第1のエリアにあり、第1の座標ポイントに対応する座標ポイント(x1,y1)を取得することを含んでもよい。
【００７９】
Dは壁紙レイヤとデスクトップアイコンが配置される画像レイヤとの間の距離であり、”tan”はタンジェント関数であり、αは第1の移動角度であり、βは第2の移動角度である。
【００８０】
さらに、計算ユニット503は、具体的には、
第1のエリアにおける各座標ポイントのカラー値及びデスクトップアイコンの各座標ポイントのカラー値に対して加算及び/又は減算計算を実行するか、又は、まず第1のエリアにおける全ての座標ポイントのカラー値から1つ以上のカラー値をフィルタリングし、フィルタリング後に取得され、第1のエリアにおける各座標ポイントのものであるカラー値及びデスクトップアイコンの各座標ポイントのカラー値に対して加算及び/又は減算計算を実行するよう構成される。
【００８１】
例えば、カラー値は、赤、青及び緑を用いることによって表現される。第1のエリアにおける特定の座標ポイントのカラー値が0x223344（赤0x22、青0x33及び緑0x44）であり、特定の座標ポイントに対応し、デスクトップアイコン上にある座標ポイントのカラー値が0x556644（赤0x55、青0x11及び緑0x66）である場合、第1のエリアにおける座標ポイントのカラー値及びデスクトップアイコン上の座標ポイントのカラー値に対する合成計算後に取得される結果は、0x223344+0x556644=0x779988又は0x556644-0x223344=0x333300であってもよいし、あるいは、赤色がまず第1のエリアにおける座標ポイントのカラー値からフィルタリングされ、第1のエリアにおける座標ポイントのカラー値が0x003344に変更され、フィルタリング後に取得されるカラー値とデスクトップアイコンの座標ポイントのカラー値とが加算され、結果は0x003344+0x556644=0x559988であるか、あるいは、フィルタリング後に取得されるカラー値が、デスクトップアイコンの座標ポイントのカラー値から減算され、結果は0x556644-0x003344=0x553300となる。
【００８２】
このようにして、計算ユニット403は、合成計算後に取得され、デスクトップアイコンの水平座標ポイントと一対一の対応関係にあるカラー値を取得してもよい。例えば、デスクトップアイコンが10個の座標ポイントを含む場合、合成計算後に取得され、10個の座標ポイントと一対一の対応関係にある10個のカラー値が取得される。
【００８３】
このことから、本発明の本実施例が移動端末を提供することが分かりうる。移動端末の移動角度が所定の角度を超えると、デスクトップアイコンに対応し、壁紙レイヤにあるエリアが取得される。合成計算が当該エリアにおけるカラー値及びデスクトップアイコンの第1のカラーセットに対して実行された後、デスクトップアイコンが、第2のカラー値を用いることによって表示される。このようにして、移動端末が異なる角度で連続的に移動するとき、デスクトップアイコンの表示されるカラーは連続的に変化し、これにより、カラフルなラティスウィンドウ効果がデスクトップアイコン上で動的に提示されうる。これは、移動端末が移動するとき、デスクトップアイコンの表示効果を高める。
【００８４】
実施例4
本発明の本実施例において提供される移動端末は、上記の方法の実施例において示された方法を実現するよう構成されてもよい。説明の簡単化のため、本発明の本実施例に関連する部分のみが示される。開示されていない特定の技術的詳細について、上記の方法の実施例における説明を参照されたい。
【００８５】
移動端末は、携帯電話、タブレットコンピュータ、ノートブックコンピュータ、UMPC、ネットブック、PDAなどであってもよい。本発明の本実施例は、移動端末が携帯電話である具体例を用いることによって説明される。図6は、本発明の本実施例に関連する携帯電話60の部分的構成のブロック図を示す。
【００８６】
図6に示されるように、携帯電話60は、表示画面601、1つ以上のユーザ入力デバイス602、メモリ603及びメモリに記憶される1つ以上のプログラムを実行するよう構成される1つ以上のプロセッサ604を含む。当業者は、図6に示される携帯電話の構成が携帯電話に対する限定を構成せず、携帯電話は図6に示されるものより多くのコンポーネント、又はいくつかのコンポーネントの組み合わせ、又は異なるコンポーネント構成を含んでもよいことを理解してもよい。
【００８７】
図6を参照して、以下は携帯電話60を構成する各コンポーネントを詳細に説明する。
【００８８】
表示画面601は、タッチパネルとして参照され、携帯電話60の入出力機能を実現するよう構成される。表示画面601は、表示画面601上で又は近くでユーザによって実行されるタッチ操作（例えば、指やスタイラスなどの何れか適切なオブジェクトやアクセサリを使用してユーザによって実行される表示画面601上又は表示画面601近くの操作）を収集し、所定のプログラムに従って対応する接続された装置を駆動してもよい。表示画面601は、ユーザによって入力された情報又はユーザに提供された情報及び携帯電話の様々なメニューを表示するよう更に構成されてもよい。任意的に、表示画面601は、タッチ検出装置及びタッチコントローラの2つの部分を含んでもよい。タッチ検出装置は、ユーザのタッチ位置を検出し、タッチ操作によって生成された信号を検出し、当該信号をタッチコントローラに転送する。タッチコントローラは、タッチ検出装置からタッチ情報を受信し、タッチ情報を接触座標に変換し、接触座標をプロセッサ604に転送する。さらに、タッチコントローラは、プロセッサ604によって送信された命令を受信及び実行することができる。表示画面601上又は近傍においてタッチ操作を検出すると、表示画面601は、タッチイベントのタイプを判定するため、タッチ操作をプロセッサ604に転送する。その後、プロセッサ604は、タッチイベントのタイプに従って、対応する視覚的出力を表示画面601上に提供する。さらに、表示画面601は、抵抗型、容量型、赤外線及び表面弾性波などの複数のタイプにおいて実現されてもよい。
【００８９】
1つ以上のユーザ入力デバイス602は、携帯電話60に設置された入力キーであってもよいし、あるいは、マイクロフォンやキーボードなどの携帯電話60に接続された他の入力デバイスであってもよい。
【００９０】
メモリ603は、データ、ソフトウェアプログラム及びモジュールを記憶するよう構成されてもよく、主にプログラム格納領域及びデータ格納領域を含む。プログラム格納領域は、オペレーティングシステム、少なくとも1つの機能（音声再生機能又は画像再生機能など）によって必要とされるアプリケーションプログラムなどを記憶してもよい。データ格納領域は、携帯電話60の使用などに従って作成されたデータ（音声データ、画像データ又は電話帳など）を記憶してもよい。さらに、メモリ603は、高速ランダムアクセスメモリを含んでもよく、少なくとも1つの磁気ディスク記憶コンポーネント、フラッシュメモリコンポーネント又は別の揮発性ソリッドステートストレージコンポーネントなどの不揮発性メモリを更に含んでもよい。
【００９１】
プロセッサ604は、携帯電話60の制御センタであり、携帯電話全体の全ての部分に各種インタフェース及び回線を用いることによって接続される。プロセッサ604は、携帯電話60の各種機能を実行し、メモリ603に記憶されるソフトウェアプログラム及び/又はモジュールをラン又は実行することによって、またメモリ603に記憶されるデータを呼び出すことによってデータを処理し、携帯電話に対して全体的なモニタリングを実行する。任意的には、プロセッサ604は、1つ以上の処理ユニットを含んでもよい。好ましくは、プロセッサ604は、アプリケーションプロセッサ及びモデムプロセッサを統合してもよい。アプリケーションプロセッサは、主にオペレーティングシステム、ユーザインタフェース、アプリケーションプログラムなどを処理し、モデムプロセッサは、主に無線通信を処理する。上記のモデムプロセッサがプロセッサ604に統合されなくてもよいことが理解されてもよい。
【００９２】
図面には示していないが、携帯電話60は更に、WiFi（ワイヤレスフィデリティ、Wireless  Fidelity）モジュール、ブルートゥースモジュール、全てのコンポーネントに電力を供給する電源（例えば、バッテリ）などを含んでもよく、詳細はここでは説明されない。
【００９３】
プロセッサ604は、
第1のカラーセットを用いることによって移動端末の表示画面601上にデスクトップアイコンを表示し、
移動端末の移動角度を取得し、
移動端末の移動角度が所定の角度を超えた場合、第2のカラーセットを用いることによってデスクトップアイコンを表示するよう構成される。
【００９４】
所定の角度は要求に従って設定されてもよく、本発明の本実施例はそれに対する限定を設定しない。第2のカラーセットは、第1のカラー値と異なり、デスクトップアイコンの全ての座標ポイントと一対一の対応関係にあるカラー値を含む。第2のカラーセットにおけるカラーは同一であってもよいし、あるいは全く異なってもよく、本発明の本実施例はそれに対する限定を設定しないことが留意されるべきである。本発明の本実施例では、移動端末が移動すると、デスクトップアイコンが、第1のカラーセットと異なる第2のカラーセットを用いることによってのみ表示される。
【００９５】
さらに、本発明の本実施例では、表示画面は、3次元空間におけるx軸及びy軸を含む。z軸は表示画面と垂直である。所定の角度は、x軸の所定の角度、y軸の所定の角度及びz軸の所定の角度を含む。
【００９６】
プロセッサ604は、具体的には、
x軸の方向、y軸の方向及びz軸の方向の3方向の動きをリアルタイムに検出し、x軸の方向、y軸の方向及びz軸の方向の1つ以上の方向における移動端末の相対的な移動角度が対応する方向において所定の角度を超える場合、移動端末の移動角度が所定の角度を超えたと判定するよう構成される。
【００９７】
例えば、x軸の所定の角度は10度であり、y軸の所定の角度は5度であり、z軸の所定の角度は15度である。x軸の方向における移動端末の相対的な移動角度が5度であり、y軸の方向における相対的な移動角度が6度であり、z軸の方向における相対的な移動角度が10度であることが検出される場合、移動端末の移動角度は所定の角度を超えたと判定される。
【００９８】
さらに、本発明の本実施例では、z軸の方向に沿って、表示画面は、壁紙レイヤ、デスクトップアイコンが配置される画像レイヤ、及び壁紙レイヤとデスクトップアイコンが配置される画像レイヤとにオーバレイする表示レイヤを順次含む。表示レイヤの水平座標は、壁紙レイヤの水平座標及びデスクトップアイコンが配置される画像レイヤの水平座標とそれぞれ一対一の対応関係にある。z軸は移動端末の表示画面に垂直な座標軸である。水平座標はx軸の方向における座標及びy軸の方向における座標を有する。x軸及びy軸が配置される水平平面は表示画面とパラレルである。
【００９９】
プロセッサ604は、具体的には、
取得された移動角度に従って、デスクトップアイコンに対応し、壁紙レイヤにある第1のエリアを取得し、
デスクトップアイコンの水平座標ポイントと一対一の対応関係にある合成されたカラー値の系列を構成するため、取得された第1のエリアにおける全ての座標ポイントのカラー値及びデスクトップアイコンの全ての座標ポイントのカラー値に対して合成計算を実行し、
合成計算後に取得され、デスクトップアイコンの全ての水平座標ポイントに対応するカラーを表示レイヤの水平座標上にそれぞれ表示するよう構成される。
【０１００】
デスクトップアイコンの全ての座標ポイントのカラー値のセットは、第1のカラーセットである。デスクトップアイコンの水平座標ポイントと一対一の対応関係にある合成されたカラー値のセットは、第2のカラーセットである。デスクトップアイコンの全ての座標ポイントのカラー値のセットは第1のカラーセットである。デスクトップアイコンの水平座標ポイントと一対一の対応関係にある合成されたカラー値のセットは、第2のカラーセットである。第1のエリアにおける全ての座標ポイントのカラー値は、移動端末に予め記憶されてもよいし、あるいは、壁紙レイヤが壁紙を表示するとき、当該エリアにおける壁紙の表示される値は、第1のエリアにおける全ての座標ポイントのカラー値として供しうる。
【０１０１】
さらに、プロセッサ604は、具体的には、
x軸に関する所定のリファレンスオブジェクトとデスクトップアイコンとの間の接続線の第1の移動角度と、y軸に関する所定のリファレンスオブジェクトとデスクトップアイコンとの間の接続線の第2の移動角度とを取得し、
第1の移動角度、第2の移動角度、及び壁紙レイヤとデスクトップアイコンが配置される画像レイヤとの間の距離に従って、デスクトップアイコンに対応し、壁紙レイヤにある第1のエリアを取得するよう構成される。
【０１０２】
所定のリファレンスオブジェクトは、固定された3次元座標ポイントを有し、移動端末の内側又は外側に配置されるリファレンスオブジェクトであってもよいし、あるいは、移動端末が移動するに従って座標ポイントが変化するリファレンスオブジェクトであってもよい。特定のタイプのリファレンスオブジェクトは、本発明の本実施例において限定されない。現在の3次元座標ポイントが取得可能なオブジェクトのみが、本発明におけるリファレンスオブジェクトとして用いられる。
【０１０３】
好ましくは、デスクトップアイコンの第1の座標ポイント(x,y)について、第1の座標ポイントに対応し、第1のエリアにある座標ポイント(x1,y1)を取得することは、
(x1,y1)=(x-D×tanα,y-D×tanβ)の式に従って、第1のエリアにあり、第1の座標ポイントに対応する座標ポイント(x1,y1)を取得することを含んでもよい。
【０１０４】
Dは壁紙レイヤとデスクトップアイコンが配置される画像レイヤとの間の距離であり、”tan”はタンジェント関数であり、αは第1の移動角度であり、βは第2の移動角度である。
【０１０５】
さらに、プロセッサ604は、具体的には、
第1のエリアにおける各座標ポイントのカラー値及びデスクトップアイコンの各座標ポイントのカラー値に対して加算及び/又は減算計算を実行するか、又は、まず第1のエリアにおける全ての座標ポイントのカラー値から1つ以上のカラー値をフィルタリングし、フィルタリング後に取得され、第1のエリアにおける各座標ポイントのものであるカラー値及びデスクトップアイコンの各座標ポイントのカラー値に対して加算及び/又は減算計算を実行するよう構成される。
【０１０６】
例えば、カラー値は、赤、青及び緑を用いることによって表現される。第1のエリアにおける特定の座標ポイントのカラー値が0x223344（赤0x22、青0x33及び緑0x44）であり、特定の座標ポイントに対応し、デスクトップアイコン上にある座標ポイントのカラー値が0x556644（赤0x55、青0x11及び緑0x66）である場合、第1のエリアにおける座標ポイントのカラー値及びデスクトップアイコン上の座標ポイントのカラー値に対する合成計算後に取得される結果は、0x223344+0x556644=0x779988又は0x556644-0x223344=0x333300であってもよいし、あるいは、赤色がまず第1のエリアにおける座標ポイントのカラー値からフィルタリングされ、第1のエリアにおける座標ポイントのカラー値が0x003344に変更され、フィルタリング後に取得されるカラー値とデスクトップアイコンの座標ポイントのカラー値とが加算され、結果は0x003344+0x556644=0x559988であるか、あるいは、フィルタリング後に取得されるカラー値が、デスクトップアイコンの座標ポイントのカラー値から減算され、結果は0x556644-0x003344=0x553300となる。
【０１０７】
このようにして、プロセッサ503は、合成計算後に取得され、デスクトップアイコンの水平座標ポイントと一対一の対応関係にあるカラー値を取得してもよい。例えば、デスクトップアイコンが10個の座標ポイントを含む場合、合成計算後に取得され、10個の座標ポイントと一対一の対応関係にある10個のカラー値が取得される。
【０１０８】
このことから、本発明の本実施例が移動端末を提供することが分かりうる。移動端末の移動角度が所定の角度を超えると、デスクトップアイコンに対応し、壁紙レイヤにあるエリアが取得される。合成計算が当該エリアにおけるカラー値及びデスクトップアイコンの第1のカラーセットに対して実行された後、デスクトップアイコンが、第2のカラー値を用いることによって表示される。このようにして、移動端末が異なる角度で連続的に移動するとき、デスクトップアイコンの表示されるカラーは連続的に変化し、これにより、カラフルなラティスウィンドウ効果がデスクトップアイコン上で動的に提示されうる。これは、移動端末が移動するとき、デスクトップアイコンの表示効果を高める。
【０１０９】
上記説明は、本発明の単なる特定の実現方式であり、本発明の保護範囲を限定することを意図するものでない。本発明において開示された技術的範囲内において当業者に容易に理解される何れかの変形又は置換は、本発明の保護範囲内に属する。従って、本発明の保護範囲は、請求項の保護範囲に従う。
【図１】
0006473827.tif 000002
【図２】
0006473827.tif 000003
【図３】
0006473827.tif 000004
【図４】
0006473827.tif 000005
【図５】
0006473827.tif 000006
【図５Ａ】
0006473827.tif 000007
【図６】
0006473827.tif 000008